(57)【特許請求の範囲】
【請求項１】
サービス会員システムと、
前記サービス会員システムとは異なる会員システムである情報会員システムと、
端末装置と、を備えている情報提供システムであり、
前記サービス会員システムは、会員管理サーバーを備え、
前記情報会員システムは、当該情報会員システムの会員に提供情報を提供する情報提供サーバーを備え、
前記サービス会員システムの前記会員管理サーバーには、当該サービス会員システムの会員の行動に対する付与ポイントが設定された設定ポイント情報と、当該サービス会員システムの各会員に対応させた、会員識別情報と、前記設定ポイント情報に基づいて当該会員の行動に対して付与された付与ポイントの累積である累積ポイントと、が記憶されており、
前記サービス会員システムの前記会員管理サーバーは、
当該サービス会員システムの各会員の前記累積ポイントに基づいて、当該サービス会員システムの各会員の会員識別情報を、前記情報会員システムの会員として登録するか否かを判断し、登録すると判断した当該サービス会員システムの会員の会員識別情報を含む会員情報を前記情報提供サーバーに送信し、
前記情報会員システムの前記情報提供サーバーは、
前記会員管理サーバーから前記会員情報を受信すると、受信した会員情報に含まれている前記サービス会員システムの会員識別情報を、当該情報会員システムの会員として登録し、
前記端末装置から、前記サービス会員システムの会員識別情報を受信すると、受信した会員識別情報が自身に登録されているか否かを判断し、登録されている場合には、前記サービス会員システムの会員識別情報を送信してきた端末装置に前記提供情報を送信し、
前記端末装置は、
前記サービス会員システムの会員識別情報が入力されると、入力されたサービス会員システムの会員識別情報を前記情報提供サーバーに送信し、
前記情報提供サーバーから前記提供情報を受信した場合は、受信した提供情報を表示する、
情報提供システム。
【請求項２】
サービス会員システムと、
前記サービス会員システムとは異なる会員システムである情報会員システムと、
端末装置と、を備えている情報提供システムであり、
前記サービス会員システムは、会員管理サーバーを備え、
前記情報会員システムは、当該情報会員システムの会員に提供情報を提供する情報提供サーバーを備え、
前記サービス会員システムの前記会員管理サーバーには、当該サービス会員システムの会員の行動に対する付与ポイントが設定された設定ポイント情報と、当該サービス会員システムの各会員に対応させた、会員識別情報と、前記設定ポイント情報に基づいて当該会員の行動に対して付与された付与ポイントの累積である累積ポイントと、が記憶されており、
前記サービス会員システムの前記会員管理サーバーは、
当該サービス会員システムの各会員の前記累積ポイントに基づいて、当該サービス会員システムの各会員に対する前記提供情報の提供を有効とするか無効とするかを判断し、当該サービス会員システムの各会員の会員識別情報と、当該会員識別情報に対応させた前記提供情報の提供の有効あるいは無効を示す有効性情報と、を含む会員情報を前記情報提供サーバーに送信し、
前記情報会員システムの前記情報提供サーバーは、
前記会員管理サーバーから前記会員情報を受信すると、受信した会員情報に含まれている有効性情報を、受信した会員情報に含まれている前記サービス会員システムの会員識別情報に対応させて記憶し、
前記端末装置から、前記サービス会員システムの会員識別情報を受信すると、受信した会員識別情報に対応する有効性情報が有効であると記憶されている場合には、前記サービス会員システムの会員識別情報を送信してきた端末装置に前記提供情報を送信し、
前記端末装置は、
前記サービス会員システムの会員識別情報が入力されると、入力されたサービス会員システムの会員識別情報を前記情報提供サーバーに送信し、
前記情報提供サーバーから前記提供情報を受信した場合は、受信した提供情報を表示する、
情報提供システム。
【請求項３】
サービス会員システムと、
前記サービス会員システムとは異なる会員システムである情報会員システムと、
端末装置と、を備えている情報提供システムであり、
前記サービス会員システムは、会員管理サーバーを備え、
前記情報会員システムは、当該情報会員システムの会員に提供情報を提供する情報提供サーバーを備え、
前記サービス会員システムの前記会員管理サーバーには、当該サービス会員システムの会員の行動に対する付与ポイントが設定された設定ポイント情報と、当該サービス会員システムの各会員に対応させた、会員識別情報と、前記設定ポイント情報に基づいて当該会員の行動に対して付与された付与ポイントの累積である累積ポイントと、が記憶されており、
前記サービス会員システムの前記会員管理サーバーは、
当該サービス会員システムの各会員の会員識別情報と、当該会員識別情報に対応する会員の累積ポイントと、を含む会員情報を前記情報提供サーバーに送信し、
前記情報会員システムの前記情報提供サーバーは、
前記会員管理サーバーから前記会員情報を受信すると、受信した会員情報に含まれている累積ポイントを、受信した会員情報に含まれている前記サービス会員システムの会員識別情報に対応させて記憶し、
前記端末装置から、前記サービス会員システムの会員識別情報を受信すると、受信した会員識別情報に対応する前記累積ポイントが所定条件を満足している場合には、前記サービス会員システムの会員識別情報を送信してきた端末装置に前記提供情報を送信し、
前記端末装置は、
前記サービス会員システムの会員識別情報が入力されると、入力されたサービス会員システムの会員識別情報を前記情報提供サーバーに送信し、
前記情報提供サーバーから前記提供情報を受信した場合は、受信した提供情報を表示する、
情報提供システム。
【請求項４】
サービス会員システムと、
前記サービス会員システムとは異なる会員システムである情報会員システムと、
端末装置と、を備えている情報提供システムであり、
前記サービス会員システムは、会員管理サーバーを備え、
前記情報会員システムは、当該情報会員システムの会員に提供情報を提供する情報提供サーバーを備え、
前記サービス会員システムの前記会員管理サーバーには、当該サービス会員システムの会員の行動に対する付与ポイントが設定された設定ポイント情報と、当該サービス会員システムの各会員に対応させた、会員識別情報と、が記憶されており、
前記サービス会員システムの前記会員管理サーバーは、
当該サービス会員システムの各会員の会員識別情報と、当該会員識別情報に対応する各会員に付与した付与ポイントと、を含む会員情報を前記情報提供サーバーに送信し、
前記情報会員システムの前記情報提供サーバーは、
前記会員管理サーバーから前記会員情報を受信すると、受信した会員情報に含まれている付与ポイントを、受信した会員情報に含まれている前記サービス会員システムの会員識別情報に対応させて記憶している累積ポイントに加算して当該累積ポイントを更新して記憶し、
前記端末装置から、前記サービス会員システムの会員識別情報を受信すると、受信した会員識別情報に対応する前記累積ポイントが所定条件を満足している場合には、前記サービス会員システムの会員識別情報を送信してきた端末装置に前記提供情報を送信し、
前記端末装置は、
前記サービス会員システムの会員識別情報が入力されると、入力されたサービス会員システムの会員識別情報を前記情報提供サーバーに送信し、
前記情報提供サーバーから前記提供情報を受信した場合は、受信した提供情報を表示する、
情報提供システム。
【請求項５】
サービス会員システムと、
前記サービス会員システムとは異なる会員システムである情報会員システムと、
端末装置と、を備えている情報提供システムであり、
前記サービス会員システムは、会員管理サーバーを備え、
前記情報会員システムは、当該情報会員システムの会員に提供情報を提供する情報提供サーバーを備え、
前記サービス会員システムの前記会員管理サーバーには、当該サービス会員システムの会員の行動に対する付与ポイントが設定された設定ポイント情報と、当該サービス会員システムの各会員に対応させた、会員識別情報と、が記憶されており、
前記サービス会員システムの前記会員管理サーバーは、
当該サービス会員システムの各会員の会員識別情報と、当該会員識別情報に対応する各会員の行動を示す行動情報と、前記設定ポイント情報と、を含む会員情報を前記情報提供サーバーに送信し、
前記情報会員システムの前記情報提供サーバーは、
前記会員管理サーバーから前記会員情報を受信すると、受信した会員情報に含まれている行動情報と設定ポイント情報とに基づいて求めた付与ポイントを、受信した会員情報に含まれている前記サービス会員システムの会員識別情報に対応させて記憶している累積ポイントに加算して当該累積ポイントを更新して記憶し、
前記端末装置から、前記サービス会員システムの会員識別情報を受信すると、受信した会員識別情報に対応する前記累積ポイントが所定条件を満足している場合には、前記サービス会員システムの会員識別情報を送信してきた端末装置に前記提供情報を送信し、
前記端末装置は、
前記サービス会員システムの会員識別情報が入力されると、入力されたサービス会員システムの会員識別情報を前記情報提供サーバーに送信し、
前記情報提供サーバーから前記提供情報を受信した場合は、受信した提供情報を表示する、
情報提供システム。
【発明の詳細な説明】
【０００１】
【発明の属する技術分野】
本発明は、情報提供装置に関する。
【０００２】
【従来の技術】
従来、種々の情報を提供する情報提供装置（情報提供システムに相当）が知られている。
この情報提供装置では、情報を得たい顧客は、例えば、情報提供装置を管理している情報提供サービス会社に会員登録する。これにより、顧客に会員識別情報が割り当てられるとともに、割り当てられた会員識別情報を含む会員登録情報が記憶装置に記憶される。
そして、顧客は、端末装置を情報提供サーバーに接続し、端末装置から情報提供サーバーに会員識別情報を送信する。この時、情報提供サーバーは、受信した会員識別情報と記憶装置に記憶されている会員登録情報を照合し、受信した会員識別情報が会員登録情報として記憶されていれば、会員識別情報を送信した端末装置あるいは予め登録されている端末装置に提供情報を送信する。
【０００３】
【発明が解決しようとする課題】
前記したように、従来の情報提供装置では、情報を得たい顧客は、情報提供装置の会員として登録する必要がある。
一方、近年、遊技店（パチンコ店等）や販売店（デパートやスーパー等）等では、会員システムが採用されている。この会員システムは、例えば、会員となった顧客の行動（例えば、商品を購入した金額、遊技に使用した金額、来店回数等）に対してポイントを付与し、累積ポイントが所定値に達すると顧客に特典を与える（例えば、景品サービス、商品購入割引サービス等）ものである。このような会員システムを採用することにより、固定客及び新しい顧客の来店回数や利用回数等が増加し、集客効果が期待できる。
従来の情報提供装置では、このような遊技店や販売店等の会員システムに会員登録している顧客であっても、情報提供装置の情報提供サーバーから情報を得たい場合には、さらに情報提供装置の会員として登録する作業が必要である。
本発明は、このような点に鑑みて創案されたものであり、顧客が、情報提供装置の会員として登録する作業を行うことなく情報を得ることができる情報提供装置を提供することを目的とする。
【０００４】
【課題を解決するための手段】
上記課題を解決するための本発明の第１発明は、請求項１に記載されたとおりの情報提供システムである。
請求項１に記載の情報提供システムは、サービス会員システムと、前記サービス会員システムとは異なる会員システムである情報会員システムと、端末装置と、を備えている情報提供システムであり、前記サービス会員システムは、会員管理サーバーを備え、前記情報会員システムは、当該情報会員システムの会員に提供情報を提供する情報提供サーバーを備えている。
前記サービス会員システムの前記会員管理サーバーには、当該サービス会員システムの会員の行動に対する付与ポイントが設定された設定ポイント情報と、当該サービス会員システムの各会員に対応させた、会員識別情報と、前記設定ポイント情報に基づいて当該会員の行動に対して付与された付与ポイントの累積である累積ポイントと、が記憶されており、前記サービス会員システムの前記会員管理サーバーは、当該サービス会員システムの各会員の前記累積ポイントに基づいて、当該サービス会員システムの各会員の会員識別情報を、前記情報会員システムの会員として登録するか否かを判断し、登録すると判断した当該サービス会員システムの会員の会員識別情報を含む会員情報を前記情報提供サーバーに送信する。
また、前記情報会員システムの前記情報提供サーバーは、前記会員管理サーバーから前記会員情報を受信すると、受信した会員情報に含まれている前記サービス会員システムの会員識別情報を、当該情報会員システムの会員として登録し、前記端末装置から、前記サービス会員システムの会員識別情報を受信すると、受信した会員識別情報が自身に登録されているか否かを判断し、登録されている場合には、前記サービス会員システムの会員識別情報を送信してきた端末装置に前記提供情報を送信する。
そして前記端末装置は、前記サービス会員システムの会員識別情報が入力されると、入力されたサービス会員システムの会員識別情報を前記情報提供サーバーに送信し、前記情報提供サーバーから前記提供情報を受信した場合は、受信した提供情報を表示する。
請求項１に記載の情報提供システムを用いれば、サービス会員システムの会員は、情報会員システムの会員として登録する作業を行うことなく情報を得ることができる。さらに、サービス会員システムの各会員の行動に対して付与されるポイントの累積ポイントが所定の条件を満足する場合に、サービス会員システムの会員は情報会員システムの会員として情報を得ることができるため、各会員システムの集客効率が向上する。
【０００５】
また、本発明の第２発明は、請求項２に記載されたとおりの情報提供システムである。
請求項２に記載の情報提供システムは、サービス会員システムと、前記サービス会員システムとは異なる会員システムである情報会員システムと、端末装置と、を備えている情報提供システムであり、前記サービス会員システムは、会員管理サーバーを備え、前記情報会員システムは、当該情報会員システムの会員に提供情報を提供する情報提供サーバーを備えている。
前記サービス会員システムの前記会員管理サーバーには、当該サービス会員システムの会員の行動に対する付与ポイントが設定された設定ポイント情報と、当該サービス会員システムの各会員に対応させた、会員識別情報と、前記設定ポイント情報に基づいて当該会員の行動に対して付与された付与ポイントの累積である累積ポイントと、が記憶されており、前記サービス会員システムの前記会員管理サーバーは、当該サービス会員システムの各会員の前記累積ポイントに基づいて、当該サービス会員システムの各会員に対する前記提供情報の提供を有効とするか無効とするかを判断し、当該サービス会員システムの各会員の会員識別情報と、当該会員識別情報に対応させた前記提供情報の提供の有効あるいは無効を示す有効性情報と、を含む会員情報を前記情報提供サーバーに送信する。
また、前記情報会員システムの前記情報提供サーバーは、前記会員管理サーバーから前記会員情報を受信すると、受信した会員情報に含まれている有効性情報を、受信した会員情報に含まれている前記サービス会員システムの会員識別情報に対応させて記憶し、前記端末装置から、前記サービス会員システムの会員識別情報を受信すると、受信した会員識別情報に対応する有効性情報が有効であると記憶されている場合には、前記サービス会員システムの会員識別情報を送信してきた端末装置に前記提供情報を送信する。
そして前記端末装置は、前記サービス会員システムの会員識別情報が入力されると、入力されたサービス会員システムの会員識別情報を前記情報提供サーバーに送信し、前記情報提供サーバーから前記提供情報を受信した場合は、受信した提供情報を表示する。
請求項２に記載の情報提供システムを用いれば、サービス会員システムの会員は、情報会員システムの会員として登録する作業を行うことなく情報を得ることができる。また、会員識別情報に対応する有効性情報の変更処理だけでよいため、管理が容易である。また、会員識別情報に対する有効あるいは無効の判別を会員管理サーバーが行っているため、情報提供サーバーの処理負担が軽減される。さらに、サービス会員システムの各会員の行動に対して付与されるポイントの累積ポイントが所定の条件を満足する場合に、サービス会員システムの会員は情報会員システムの会員として情報を得ることができるため、各会員システムの集客効率が向上する。
【０００６】
また、本発明の第３発明は、請求項３に記載されたとおりの情報提供システムである。
請求項３に記載の情報提供システムは、サービス会員システムと、前記サービス会員システムとは異なる会員システムである情報会員システムと、端末装置と、を備えている情報提供システムであり、前記サービス会員システムは、会員管理サーバーを備え、前記情報会員システムは、当該情報会員システムの会員に提供情報を提供する情報提供サーバーを備えている。
前記サービス会員システムの前記会員管理サーバーには、当該サービス会員システムの会員の行動に対する付与ポイントが設定された設定ポイント情報と、当該サービス会員システムの各会員に対応させた、会員識別情報と、前記設定ポイント情報に基づいて当該会員の行動に対して付与された付与ポイントの累積である累積ポイントと、が記憶されており、前記サービス会員システムの前記会員管理サーバーは、当該サービス会員システムの各会員の会員識別情報と、当該会員識別情報に対応する会員の累積ポイントと、を含む会員情報を前記情報提供サーバーに送信する。
また、前記情報会員システムの前記情報提供サーバーは、前記会員管理サーバーから前記会員情報を受信すると、受信した会員情報に含まれている累積ポイントを、受信した会員情報に含まれている前記サービス会員システムの会員識別情報に対応させて記憶し、前記端末装置から、前記サービス会員システムの会員識別情報を受信すると、受信した会員識別情報に対応する前記累積ポイントが所定条件を満足している場合には、前記サービス会員システムの会員識別情報を送信してきた端末装置に前記提供情報を送信する。
そして前記端末装置は、前記サービス会員システムの会員識別情報が入力されると、入力されたサービス会員システムの会員識別情報を前記情報提供サーバーに送信し、前記情報提供サーバーから前記提供情報を受信した場合は、受信した提供情報を表示する。
請求項３に記載の情報提供システムを用いれば、サービス会員システムの会員は、情報会員システムの会員として登録する作業を行うことなく情報を得ることができる。また、累積ポイントの変更は会員管理サーバーが行い、累積ポイントが所定条件を満足しているか否かの判別を情報提供サーバーが行っているため、処理を会員管理サーバーと情報提供サーバーに分散させることができる。さらに、サービス会員システムの各会員の行動に対して付与されるポイントの累積ポイントが所定の条件を満足する場合に、サービス会員システムの会員は情報会員システムの会員として情報を得ることができるため、各会員システムの集客効率が向上する。
【０００７】
また、本発明の第４発明は、請求項４に記載されたとおりの情報提供システムである。
請求項４に記載の情報提供システムは、サービス会員システムと、前記サービス会員システムとは異なる会員システムである情報会員システムと、端末装置と、を備えている情報提供システムであり、前記サービス会員システムは、会員管理サーバーを備え、前記情報会員システムは、当該情報会員システムの会員に提供情報を提供する情報提供サーバーを備えている。
前記サービス会員システムの前記会員管理サーバーには、当該サービス会員システムの会員の行動に対する付与ポイントが設定された設定ポイント情報と、当該サービス会員システムの各会員に対応させた、会員識別情報と、が記憶されており、前記サービス会員システムの前記会員管理サーバーは、当該サービス会員システムの各会員の会員識別情報と、当該会員識別情報に対応する各会員に付与した付与ポイントと、を含む会員情報を前記情報提供サーバーに送信する。
また、前記情報会員システムの前記情報提供サーバーは、前記会員管理サーバーから前記会員情報を受信すると、受信した会員情報に含まれている付与ポイントを、受信した会員情報に含まれている前記サービス会員システムの会員識別情報に対応させて記憶している累積ポイントに加算して当該累積ポイントを更新して記憶し、前記端末装置から、前記サービス会員システムの会員識別情報を受信すると、受信した会員識別情報に対応する前記累積ポイントが所定条件を満足している場合には、前記サービス会員システムの会員識別情報を送信してきた端末装置に前記提供情報を送信する。
そして前記端末装置は、前記サービス会員システムの会員識別情報が入力されると、入力されたサービス会員システムの会員識別情報を前記情報提供サーバーに送信し、前記情報提供サーバーから前記提供情報を受信した場合は、受信した提供情報を表示する。
請求項４に記載の情報提供システムを用いれば、サービス会員システムの会員は、情報会員システムの会員として登録する作業を行うことなく情報を得ることができる。また、ポイントの付与は会員管理サーバーが行い、累積ポイントの変更及び累積ポイントが所定条件を満足しているか否かの判別を情報提供サーバーが行っているため、処理を会員管理サーバーと情報提供サーバーに分散させることができる。さらに、サービス会員システムの各会員の行動に対して付与されるポイントの累積ポイントが所定の条件を満足する場合に、サービス会員システムの会員は情報会員システムの会員として情報を得ることができるため、各会員システムの集客効率が向上する。
【０００８】
また、本発明の第５発明は、請求項５に記載されたとおりの情報提供システムである。
請求項５に記載の情報提供システムは、サービス会員システムと、前記サービス会員システムとは異なる会員システムである情報会員システムと、端末装置と、を備えている情報提供システムであり、前記サービス会員システムは、会員管理サーバーを備え、前記情報会員システムは、当該情報会員システムの会員に提供情報を提供する情報提供サーバーを備えている。
前記サービス会員システムの前記会員管理サーバーには、当該サービス会員システムの会員の行動に対する付与ポイントが設定された設定ポイント情報と、当該サービス会員システムの各会員に対応させた、会員識別情報と、が記憶されており、前記サービス会員システムの前記会員管理サーバーは、当該サービス会員システムの各会員の会員識別情報と、当該会員識別情報に対応する各会員の行動を示す行動情報と、前記設定ポイント情報と、を含む会員情報を前記情報提供サーバーに送信する。
また、前記情報会員システムの前記情報提供サーバーは、前記会員管理サーバーから前記会員情報を受信すると、受信した会員情報に含まれている行動情報と設定ポイント情報とに基づいて求めた付与ポイントを、受信した会員情報に含まれている前記サービス会員システムの会員識別情報に対応させて記憶している累積ポイントに加算して当該累積ポイントを更新して記憶し、前記端末装置から、前記サービス会員システムの会員識別情報を受信すると、受信した会員識別情報に対応する前記累積ポイントが所定条件を満足している場合には、前記サービス会員システムの会員識別情報を送信してきた端末装置に前記提供情報を送信する。
そして前記端末装置は、前記サービス会員システムの会員識別情報が入力されると、入力されたサービス会員システムの会員識別情報を前記情報提供サーバーに送信し、前記情報提供サーバーから前記提供情報を受信した場合は、受信した提供情報を表示する。
請求項５に記載の情報提供システムを用いれば、サービス会員システムの会員は、情報会員システムの会員として登録する作業を行うことなく情報を得ることができる。また、サービス会員システムの会員の行動の評価は会員管理サーバーが行い、ポイントの付与及び累積ポイントの変更及び累積ポイントが所定条件を満足しているか否かの判別を情報提供サーバーが行っているため、処理を会員管理サーバーと情報提供サーバーに分散させることができる。さらに、サービス会員システムの各会員の行動に対して付与されるポイントの累積ポイントが所定の条件を満足する場合に、サービス会員システムの会員は情報会員システムの会員として情報を得ることができるため、各会員システムの集客効率が向上する。
【０００９】
【発明の実施の形態】
以下に本発明の実施の形態を図面を用いて説明する。
図１は、本発明の情報提供装置の一実施の形態の概略図を示している。本実施の形態の情報提供装置は、「情報提供者」「情報提供センター」「サービス業者」「会員」の４つのグループから構成されている。
ここで、図１に示す「サービス業者」の会員システムが「サービス会員システム」に相当し、「情報提供センター」の会員システムが「情報会員システム」に相当する。
情報提供者は、情報提供センターとビジネス契約等を結び、情報提供センターに情報を提供する。例えば、情報提供者Ａは、提供者サーバー１０から情報Ａ１１を情報提供サーバー３０に送信する。情報提供者Ｂも同様に、提供者サーバー２０から情報Ｂ２１を情報提供サーバー３０に送信する。
情報提供センターは、情報提供者とビジネス契約等を結び、情報提供者から提供情報を受け取る。また、情報提供センターは、サービス業者とビジネス契約等を結ぶ。例えば、サービス業者Ｃとビジネス契約等を結び、サービス業者Ｃの会員管理サーバー５０からサービス業者Ｃが管理している会員の会員情報を情報提供サーバー３０で受信し、当該会員に対して情報を提供する。記憶装置４０には、会員登録情報、提供する情報Ａ１１、Ｂ２１等が記憶されている。また、サービス業者Ｄとも同様にビジネス契約等を結び、サービス業者Ｄの会員管理サーバー６０から会員情報を受信し、当該会員に対して情報を提供する。
サービス業者は、情報提供センターとビジネス契約等を結び、会員情報を情報提供サーバー３０に送信する。また、サービス業者は、個々の顧客と会員契約等を結び、会員の行動（例えば、商品を購入した金額、遊技に使用した金額、来店回数等）に対して種々の特典を与える。その特典の一つが情報提供センターからの情報の提供である。
顧客は、サービス業者と会員契約を結ぶことで会員になり、会員識別情報を受け取る（例えば、会員識別情報を記憶した会員カードを受け取る）。以後は、会員は、割り当てられた会員識別情報を用いて種々の行動を行う。なお、会員は、情報提供センターと会員契約等を結ぶ必要はない。会員は、会員識別情報を用いて情報提供サーバー３０から情報を受け取ることができる。このとき、情報提供サーバー３０から情報を受け取ることができるか否かは、各会員の行動に対して会員管理サーバー５０、６０から情報提供サーバー３０に送信される会員情報に基づいて決定される。
【００１０】
なお、ここで「情報提供者」とは、提供する情報をインターネット等を介して情報提供センターに送る個人または団体を指す。また「サービス業者」とは、販売店（デパートやスーパー等）及び遊技店（パチンコ店等）を指し、「会員」となった個人や団体等の顧客に対して商品の販売やサービスの提供等（遊技設備の利用等）を行う。また、「会員」とは、「サービス業者」と会員契約を結んだ個人あるいは団体等の顧客を指し、当該会員の中から特典を与えられた会員が情報提供センターから情報を受け取ることができる。
【００１１】
図２は、本発明の情報提供装置の一実施の形態の概略構成図を示している。本実施の形態の情報提供装置は、情報提供者側の提供者サーバー１０、２０、情報提供センター側の情報提供サーバー３０、サービス業者側の会員管理サーバー５０、６０、会員側の端末７０、７１、携帯端末８０、８１（以下、これらを「端末装置」という）により構成されている。各装置は、インターネット９０等の通信回線を介して接続可能である。
情報提供サーバー３０には、記憶装置４０が接続されている。記憶装置４０には、提供者サーバー１０、２０等から受信した情報Ａ１１、情報Ｂ２１等が記憶される。また、記憶装置４０には、会員登録情報が記憶される。会員登録情報は、会員管理サーバー５０、６０等から送信される会員情報に基づいて記憶、削除、更新等が行われる。そして、情報提供サーバー３０は、端末装置７０、７１、８０、８１等から会員識別情報を受信すると、記憶装置４０に記憶されている会員登録情報に基づいて当該受信した会員識別情報に対応する会員に対する情報の送信の可否を判断し、送信可である場合に当該受信した会員識別情報を送信した端末装置に情報を送信する。
会員管理サーバー５０、６０等は、当該会員管理サーバーを管理するサービス業者（販売店や遊技店等）と会員契約等を結んだ会員の会員管理情報を記憶する記憶装置を有している（図示せず）。また、会員管理サーバー５０、６０等は、当該会員管理サーバーが管理する会員の会員情報を情報提供サーバー３０に送信する。
会員は、端末装置７０、７１、８０、８１等を情報提供サーバー３０に接続し、会員識別情報を情報提供サーバー３０に送信する。そして、情報提供サーバー３０から送信された情報を受信する。
なお、図２では記憶装置４０を情報提供サーバー３０に接続したが、記憶装置４０をインターネット９０に接続しても良い。
【００１２】
各サービス業者の会員となっている顧客に対して情報提供サーバー３０から情報を提供する場合、情報提供サーバー３０の記憶装置４０に記憶する会員登録情報や会員管理サーバー５０、６０の記憶装置に記憶する会員管理情報としては種々の形態が可能である。
まず、会員管理サーバー５０、６０が各会員に対する情報の提供の有効あるいは無効を判別し、会員登録情報に有効性情報を記憶させる第１の実施の形態を説明する。
図３に、記憶装置４０に記憶する会員登録情報の例（会員登録情報４１）を示す。図３に示す会員登録情報４１では、会員管理サーバー名、会員を特定する会員番号、パスワード、氏名、有効性情報、会員の連絡先（場合によっては、情報の送信先）（図３ではメールアドレス）が記憶される。
会員管理サーバー名は、会員がどの会員管理サ−バーで管理されているかを示すものである。
会員識別情報としては、会員番号及びパスワードを用いてもよいし、会員番号のみを用いてもよい。
有効性情報は、会員識別情報に対応する会員への情報の提供を有効とするか無効とするかを示すものである。例えば、有効性情報の欄に「有」が記憶されている場合には、当該会員識別情報に対応する会員に対する情報の提供が有効である（情報の提供を行う）ことを示している。一方、有効性情報の欄に「無」が記憶されている場合には、当該会員識別情報に対応する会員に対する情報の提供が無効である（情報の提供を行わない）ことを示している。図３に示す例では、有効性情報を判別する（例えば、有効性情報として「有」が記憶されているか「無」が記憶されているかを判別する）ことにより、会員に対する情報の提供が有効であるか無効であるかを判断することができる。会員登録情報４１の有効性情報は、会員管理サーバー５０、６０から送信される会員情報によって変更される。
図３に示す例では、有効性情報の変更のみを行えばよいので会員登録情報４１の管理が容易である。例えば、会員識別情報に対応する会員への情報の提供を無効とした後、再度情報の提供を有効とする場合もある。この場合には、会員識別情報に対応する有効性情報の欄の「有」から「無」に、あるいは「無」から「有」に変更するだけでよく、他の情報を再度記憶させる必要がない。
【００１３】
図４に、会員管理サーバー５０、６０の記憶装置に記憶する会員管理情報の例（会員管理情報４２）を示す。図４に示す会員管理情報４２では、会員を特定する会員番号、パスワード、氏名、住所、有効性情報、累積ポイント、会員の連絡先（図４ではメールアドレス）が記憶される。
会員識別情報としては、会員番号及びパスワードを用いてもよいし、会員番号のみを用いてもよい。
有効性情報は、会員識別情報に対応する会員に対する情報の提供の有効あるいは無効を示す。例えば、有効性情報の欄に「有」が記憶されている場合には、当該会員識別情報に対応する会員に対する情報の提供が有効であることを示している。一方、有効性情報の欄に「無」が記憶されている場合には、当該会員識別情報に対応する会員に対する情報の提供が無効であることを示している。会員管理情報４２の有効性情報は、当該会員の累積ポイントに基づいて変更される。
累積ポイントは、当該会員識別情報に対応する会員の行動に対して付与されたポイントを累積したものである。この累積ポイントに基づいて、当該会員識別情報に対応する会員に対する有効性情報が有効あるいは無効とされる。
【００１４】
図５、図６には、各会員管理サーバー５０、６０が会員の行動に対して付与するポイント数を設定した設定ポイント情報の例（設定ポイント情報４３、４３ａ）が示されている。図５はパチンコＡ１店の設定ポイント情報４３の例を示し、図６はデパートＢ１店の設定ポイント情報４３ａの例を示している。図５、図６に示す設定ポイント情報には、会員管理サーバー名、会員の行動名、会員の行動名に対応する会員行動番号、会員の行動名に対して付与するポイント数（付与ポイント）が設定されている。ポイントを付与する会員の行動としては、例えば、来店（例えば、１回来店すると１ポイント付与する。）、玉購入（例えば、玉貸機でパチンコ玉を１０００円購入（貸出し）すると１ポイント付与する。）、貯玉操作（例えば、１０００個貯玉すると５ポイント付与する。なお、貯玉とは、手数料を支払うことにより翌日以降でも使用可能な玉である。）、商品購入（例えば、１０００円購入すると１ポイント付与する。）等がある。
設定ポイント情報４３、４３ａは、各会員管理サーバー５０、６０の記憶装置に記憶されている。
会員管理サーバー５０、６０は、会員の行動に対して、設定ポイント情報に設定されているポイントを付与する。
なお、設定ポイント情報４３、４３ａ等を記憶する記憶装置は、会員管理サーバー５０、６０等からアクセスが可能であればどこに設置されていてもよい。
【００１５】
図７、図８には、会員管理サーバー５０、６０等が、各会員に対する情報の提供を有効とする（有効性情報を有効に設定する）ための累積ポイントの設定レベルを設定した設定レベル情報の例（設定レベル情報４４、４４ａ）が示されている。図７はパチンコＡ１店の設定レベル情報４４を示し、図８はデパートＢ１店の設定レベル情報４４ａを示している。
図７、図８に示す設定レベル情報には、会員管理サーバー名、会員に対する情報の提供を有効とするか無効とするかを示す有効性情報、有効性情報が有効に設定されるための到達累積ポイント等が記憶される。
設定レベル情報４４、４４ａは、会員管理サーバー５０、６０の記憶装置に記憶されている。
会員管理サーバー５０、６０は、各会員の累積ポイントが設定レベル情報に設定されている到達累積ポイントに達すると有効性情報を有効に設定する。
なお、設定レベル情報４４、４４ａ等を記憶する記憶装置は、会員管理サーバー５０、６０等からアクセス可能であればどこに設置されていてもよい。
【００１６】
図９には、記憶装置４０に記憶されている提供ファイル情報の例（提供ファイル情報４５）が示されている。図９に示す提供ファイル情報４５には、情報提供者から提供される情報に関する情報番号、ファイル名、情報提供者、情報種類、有効性情報、指定会員管理サーバー、除外会員管理サーバー等が記憶されている。
有効性情報に「有」が設定されている情報は、会員登録情報の有効性情報に「有」が設定されている会員に対してのみ提供可能である。
また、指定会員管理サーバーに会員管理サーバーが設定されている情報は、設定されている会員管理サーバーの会員に対してのみ提供可能である。例えば、図９に示す提供ファイル情報４５では、情報番号「００００１」及び「００００２」の情報は、パチンコＡ１店の会員であり、かつ会員登録情報の有効性情報に「有」が設定されている会員のみに提供可能である。
また、除外会員管理サーバーに会員管理サーバーが設定されている情報は、設定されている会員管理サーバーの会員以外の会員に対してのみ提供可能である。図９に示す提供ファイル情報４５では、情報番号「１１００２」の情報は、デパートＢ２系列店の会員以外の会員であれば、会員登録情報の有効性情報の設定状態に関係なく提供可能である。
なお、これらの提供ファイル情報４５の内容は、情報提供者が提供者サーバー１０、２０等から指定することができる。また、図９に示した提供ファイル情報４５では、例えば「サービス業者」であるパチンコＡ１店等でも「情報提供者」になり得ることを示している。
【００１７】
次に、顧客が情報提供サーバー３０から情報を受け取る手順を説明する。ここで、会員管理サーバー５０が、パチンコＡ１店の会員管理サーバーとする。
まず、顧客は、パチンコＡ１店と会員契約を結んでパチンコＡ１店の会員となる。顧客には、例えば、会員番号「００００３」が割り当てられる。また、会員管理サーバー５０の記憶装置に、例えば図４に示す会員管理情報４２、情報提供サーバー３０の記憶装置４０に、例えば図３に示す会員登録情報４１が記憶される。このとき、会員管理情報及び会員登録情報の会員番号「００００３」に対応する有効性情報は「無」に設定されている。記憶装置に会員管理情報４２や会員登録情報４１を記憶させる方法は、会員管理サーバー５０から送信して記憶させる方法等種々の方法を用いることができる。
会員管理サーバー５０は、会員となった顧客（例えば、会員番号「００００３」の会員）の行動に対して、例えば図５に示す設定ポイント情報４３に基づいてポイントを付与する。顧客の特定は、例えば、カード挿入口に挿入された会員カードに記憶されている会員番号を読み取ることによって行う。例えば、会員番号「００００３」の顧客がパチンコＡ１店に来店してパチンコ台のカード挿入口に会員カードを挿入すると、会員カードに記憶されている会員番号「００００３」を読み取り、来店に対して設定されているポイント（図５では、１ポイントが設定されている）を付与する。そして、会員管理情報４２の会員番号「００００３」に対応して記憶されている累積ポイントに加算して、累積ポイントを更新する（図４では、累積ポイントは１である）。
次に、会員管理サーバー５０は、会員番号「００００３」に対応する累積ポイントに対して、例えば図７に示す設定レベル情報４４に基づいて、情報の提供に対する有効あるいは無効を判定する。図７に示す設定レベル情報４４では到達累積ポイントが「１０」に設定されているため、この場合には無効と判定する。ここで、会員管理情報４２の会員番号「００００３」に対応する有効性情報は「無」に設定されているため、有効性情報は変更されない。さらに、会員登録情報４１の有効性情報も「無」のままである。
【００１８】
この後、会員番号「００００３」の顧客が、パチンコＡ１店で玉貸機から１００００円分のパチンコ玉を購入（貸出し）した場合には、設定ポイント情報４３に基づいて１０ポイントが与えられる。これにより、会員番号「００００３」に対応する累積ポイントは１１ポイントになる。
そして、会員管理サーバー５０は、会員番号「００００３」に対応する累積ポイントに対して、設定レベル情報４４に基づいて情報の提供に対する有効あるいは無効を判定する。この場合、会員番号「００００３」に対応する累積ポイント「１１」が、図７に示す設定レベル情報４４に設定されている到達累積ポイント「１０」以上であるため、有効と判定する。そして、会員管理情報４２の会員番号「００００３」に対応する有効性情報を「有」に変更する。
同時に、会員管理サーバー５０は、情報提供サーバー３０に、会員番号「００００３」と有効性情報「有」を示す登録情報を含む会員情報を送信する。情報提供サーバー３０は、会員情報を受信すると、記憶装置４０に記憶されている会員登録情報４１の、受信した会員情報に含まれている会員番号「００００３」に対応する有効性情報を「有」に変更する。
会員番号「００００３」の会員は、会員登録情報４１の情報と提供ファイル情報４５に設定されている情報に基づいて所定の提供情報を受け取ることができる。この場合、会員番号「００００３」の会員は、提供ファイル情報４５の設定情報に基づいて、情報番号「００００１」の「パチンコＡ１点台データ」及び情報番号「００００２」の「パチンコＡ１店引き換え割引」等を情報提供サーバー３０から受け取ることができる。
【００１９】
次に、顧客が、携帯端末８０を用いて、情報提供サーバー３０から情報を受け取る手順を図１０により説明する。
顧客が携帯端末８０を情報提供サーバー３０に接続すると、携帯端末８０の表示手段に会員認証画面８０ａが表示される。
この画面で会員番号（この例では、「００００３」）及びパスワードを入力した後送信を選択すると、入力された会員番号及びパスワードが携帯端末８０から情報提供サーバー３０に送信される。
情報提供サーバー３０は、携帯端末８０から会員番号及びパスワードを受信すると、記憶装置４０に記憶されている会員登録情報４１と照合する。例えば、受信した会員番号及びパスワードが会員登録情報４１に記憶されているか否かを判断する。そして、受信した会員番号及びパスワードが会員登録情報４１に記憶されている場合には、情報提供サーバー３０は、会員登録情報４１の、受信した会員番号に対応する有効性情報と記憶装置４０に記憶されている提供ファイル情報４５とに基づいて、有効性情報の設定内容に対して提供可能な情報の種類を示す会員用メニュー画面情報を携帯端末８０に送信する。なお、会員番号に会員管理サーバー（例えば、パチンコＡ１店）の番号を含ませておけば、サービス業者の判別が容易である。
携帯端末８０は、情報提供サーバー３０から送信された会員用メニュー画面情報を受信し、表示手段に会員用メニュー画面８０ｂを表示する。図１０に示す会員用メニュー画面では、「１．パチンコＡ１店台データ」、「２．デパートＢ１店情報」、「３．音楽情報」、「４．ゲーム情報」を受信することが可能であることを示している。
ここで、顧客が、例えば、「１．パチンコＡ１店台データ」を選択して送信操作を行うと、「パチンコＡ１店台データ」を示す情報種別情報を含む情報要求信号が携帯端末８０から情報提供サーバー３０に送信される。情報提供サーバー３０は、携帯端末８０から情報要求信号を受信すると、情報要求信号に含まれている情報種別情報に対応する情報（この場合には、「パチンコＡ１店台データ」情報）を携帯端末８０に送信する。携帯端末８０は、情報提供サーバー３０から送信された「パチンコＡ１店台データ」情報を受信し、表示手段に「パチンコＡ１店台データ」画面８０ｃを表示する。
【００２０】
なお、以上では、会員の認証を会員番号とパスワードとによって行ったが、会員番号のみで行ってもよい。この場合には、会員管理情報や会員登録情報のパスワードを省略することができる。
【００２１】
以上では、会員登録情報に会員識別情報を記憶させるとともに、会員識別情報に対応する有効性情報を「有」あるいは「無」に設定したが、会員登録情報に会員識別情報を記憶あるいは削除させてもよい。以下に、会員登録情報に会員識別情報を記憶あるいは削除させる第２の実施の形態を説明する。本実施の形態では、会員登録情報の有効性情報は省略されている。
例えば、会員管理サーバー５０は、会員管理情報４２の会員番号「００００３」に対応する累積ポイントが設定レベル情報４４に設定されている到達累積ポイント１０に達すると、会員管理情報４２の会員番号「００００３」に対応する有効性情報を「有」に設定する。
同時に、会員管理サーバー５０は、会員番号「００００３」を含む会員情報を情報提供サーバー３０に送信する。
情報提供サーバー３０は、会員情報を受信すると、受信した会員情報に含まれている会員番号「００００３」を会員登録情報４１に記憶させる。
情報提供サーバー３０は、例えば携帯端末８０から会員番号「００００３」を受信すると、受信した会員番号「００００３」が会員登録情報４１に記憶されているか否かを判断する。そして、受信した会員番号「００００３」が会員登録情報４１に記憶されていれば、会員番号「００００３」に対する情報の提供が有効であると判断し、提供ファイル情報４５に基づいて、提供可能な情報の種類を示す会員用メニュー画面情報を携帯端末８０に送信する。
この第２の実施の形態では、会員識別情報に対応する会員への情報の提供が有効であるか無効であるかを、会員登録情報４１に会員識別情報が記憶されているか否かのみで判別することができる。
【００２２】
以上の実施の形態では、会員に対する情報の提供の有効あるいは無効のみを設定したが、会員に対して会員レベルを設定し、会員レベルに応じた情報を提供可能に構成することもできる。会員に対して会員レベルを設定し、会員レベルに応じた情報を提供する第３の実施の形態を以下に説明する。
図１１に会員レベルを記憶する会員登録情報の例（会員登録情報４１ｂ）を示し、図１２には会員レベルを記憶する会員管理情報の例（会員管理情報４２ｂ）を示している。また、図１３に会員レベルに対する到達累積ポイントを設定する設定レベル情報の例（設定レベル情報４４ｂ）を示し、図１４に会員レベルに応じた情報を設定する提供ファイル情報の例（提供ファイル情報４５ｂ）を示している。
会員管理サーバー５０、６０は、会員管理情報の会員識別情報に対応する累積ポイントと図１３に示す設定レベル情報４４ｂに基づいて、各会員に会員レベル「０」〜「３」を設定する。会員レベルが「０」に設定されている場合は、当該会員に対する情報の提供が無効である。また、会員レベルが「１」〜「３」に設定されている場合は、当該会員に対して情報の提供が有効であり、且つ、会員レベルに対応した情報を提供可能である。
設定レベル情報４４ｂに設定されている会員レベルに応じて、提供ファイル情報４５ｂの情報種類に会員レベルが設定される。
また、会員登録情報４１ｂや会員管理情報４２ｂにも、会員番号と会員レベルが記憶される。
【００２３】
いま、図１３〜図１４に示すように設定されている状態で、パチンコＡ１店の会員番号「００００１」の顧客がパチンコＡ１店に来店して玉貸機で１０００円分だけパチンコ玉を購入（貸出し）した場合、会員管理サーバー５０は、設定ポイント情報４３に基づいて、２ポイント（来店ポイント「１」＋玉購入ポイント「１」）を付与する。
そして、会員管理サーバー５０は、会員管理情報４２ｂの会員番号「００００１」に対応する累積ポイントを更新する。この場合、現在の累積ポイント「２８」にポイント「２」を加算して、累積ポイントを「３０」に更新する。
さらに、会員管理サーバー５０は、累積ポイントと設定レベル情報４４ｂに基づいて会員番号「００００１」に対応する会員レベルを判定する。この場合、累積ポイント「３０」が設定レベル情報４４ｂに設定されている到達累積ポイント「３０」以上であるため、会員レベルが「３」であると判定する。これにより、会員管理情報４２ｂの会員番号「００００１」に対応する会員レベルが「２」から「３」に変更される。同時に、会員管理サーバー５０は、会員番号「００００１」と会員レベル「３」を示す会員レベル情報を含む会員情報を情報提供サーバー３０に送信する。
情報提供サーバー３０は、会員管理サーバー５０から会員情報を受信すると、会員登録情報４１ｂの、受信した会員情報に含まれている会員番号に対応する会員レベルを受信した会員情報に含まれている会員レベル情報（この場合、会員レベル「３」）に変更する。
この後、会員番号「００００１」の会員は、会員レベル「３」と提供ファイル情報４５ｂに基づいて、会員レベル「３」に対応する情報を受け取ることができる。この場合、例えば、以前の会員レベル「２」では受け取ることができなかった「音楽情報」を受け取ることができる。
【００２４】
以上では、会員管理サーバー５０、６０が、各会員に対する情報の提供の有効あるいは無効等を判別して有効性情報あるいは会員レベル情報を情報提供サーバー３０に送信したが、各会員に対する情報の提供の有効あるいは無効等を情報提供サーバーが判別することもできる。以下に、各会員に対する情報の提供の有効あるいは無効を情報提供サーバー３０が判別する第４の実施の形態を説明する。
図１５に会員登録情報の例（会員登録情報４１ｃ）を示し、図１６に会員管理情報の例（会員管理情報４２ｃ）を示している。図１６に示す会員管理情報４２ｃでは会員番号と累積ポイント等を記憶し、図１５に示す会員登録情報４１ｃでは会員番号、パスワード、累積ポイント及び会員レベル等を記憶する。
【００２５】
図１５、図１６に示すように設定されている状態で、パチンコＡ１店の会員番号「００００１」の会員が、パチンコＡ１店に来店して玉貸機から１０００円分のパチンコ玉を購入（貸出し）した場合、会員管理サーバー５０は、設定ポイント情報４３に基づいて「２」ポイントを与える。
そして、会員管理サーバー５０は、会員管理情報４２ｃの会員番号「００００１」に対応する累積ポイントを更新する。この場合、現在の累積ポイント「２８」にポイント「２」を加算して累積ポイントを「３０」に更新する。
同時に、会員管理サーバー５０は、会員番号「００００１」と累積ポイント（この場合、累積ポイント「３０」）を示す累積ポイント情報を含む会員情報を情報提供サーバー３０に送信する。
情報提供サーバー３０は、会員管理サーバー５０から会員情報を受信すると、会員登録情報４１ｃの、受信した会員情報に含まれている会員番号「００００１」に対応する累積ポイントを受信した会員情報に含まれている累積ポイント情報により更新する。この場合、会員登録情報の会員番号「００００１」に対応する累積ポイント「２８」を「３０」に更新する。
そして、情報提供サーバー３０は、会員登録情報４１ｃの会員番号「００００１」に対応する累積ポイントと設定レベル情報４４ｂに基づいて、会員番号「００００１」に対応する会員レベルを判別する。この場合、会員番号「００００１」に対応する累積ポイント「３０」が設定レベル情報４４ｂに設定されている到達累積ポイント「３０」以上であるため、会員レベルが「３」であると判別する。これにより、会員登録情報４１ｃの会員番号「００００１」に対応する会員レベルが「２」から「３」に変更される。
【００２６】
第４の実施の形態では、会員管理サーバー５０、６０は、各会員の行動に対してポイントを付与するとともに、累積ポイントを演算し、情報提供サーバー３０は、会員管理サーバー５０、６０から受信した累積ポイントに基づいて会員レベルを判別する。
これにより、各処理を、会員管理サーバー５０、６０と情報提供サーバー３０に分散させることができる。
【００２７】
第４の実施の形態では、情報提供サーバー３０は、各会員の累積ポイントと設定レベル情報に基づいて会員レベルを判別したが、第１の実施の形態や第２の実施の形態のように、各会員の累積ポイントと設定レベル情報に基づいて有効あるいは無効を判別し、会員登録情報の会員識別情報に対応する有効性情報を「有」あるいは「無」に設定したり、会員登録情報に会員識別情報を記憶あるいは削除させてもよい。
【００２８】
第４の実施の形態では、会員管理サーバー５０、６０から情報提供サーバー３０に各会員の累積ポイントを送信したが、会員管理サーバー５０、６０から情報提供サーバーに各会員に付与されたポイントを送信するように構成することもできる。以下に、会員管理サーバー５０、６０から情報提供サーバー３０に各会員のポイントを送信する第５の実施の形態を説明する。
図１７に、会員管理情報の例（会員管理情報４２ｄ）を示す。図１７に示す会員管理情報４２ｄには、累積ポイントや会員レベル等が記憶されない。また、会員登録情報には、例えば図１５に示すように、累積ポイントや会員レベルが記憶される。
【００２９】
図１５、図１７に示されているように設定されている状態で、パチンコＡ１店の会員番号「００００１」の会員が、パチンコＡ１店に来店して玉貸機で１０００円分のパチンコ玉を購入（貸出し）した場合、会員管理サーバー５０は、設定ポイント情報４３に基づいてポイント「２」を与える。
そして、会員管理サーバー５０は、会員番号「００００１」と付与したポイントを示すポイント情報（この場合は、ポイント情報「２」）を含む会員情報を情報提供サーバー３０に送信する。
情報提供サーバー３０は、会員管理サーバー５０から会員情報を受信すると、会員登録情報４１ｃの、受信した会員情報に含まれている会員番号「００００１」に対応する累積ポイント（この場合は「２８」）に受信した会員情報に含まれているポイント情報（この場合は「２」）を加算し、累積ポイントを更新する（この場合は累積ポイントを「３０」に更新する）。
さらに、情報提供サーバー３０は、会員番号「００００１」に対応する累積ポイントと設定レベル情報４４ｂに基づいて、会員番号「００００１」に対応する会員レベルを判別する。この場合、会員番号「００００１」に対応する累積ポイント「３０」が設定レベル情報４４ｂに設定されている到達累積ポイント「３０」以上であるため、会員レベルが「３」であると判別する。これにより、会員登録情報４１ｃの会員番号「００００１」に対応する会員レベルが「２」から「３」に変更される。
【００３０】
第５の実施の形態では、会員管理サーバー５０、６０は、各会員の行動に対してポイントを付与し、情報提供サーバー３０は、会員管理サーバー５０、６０から受信したポイントに基づいて累積ポイントを演算するとともに、会員レベルを判別する。
これにより、各処理を、会員管理サーバー５０、６０と情報提供サーバー３０に分散させることができる。
また、情報提供サーバー３０は、顧客が会員となっている会員システム毎のポイントを加算した累積ポイントに基づいて情報の提供を行うことができるため、汎用性が向上する。
【００３１】
第５の実施の形態では、情報提供サーバー３０は、各会員の累積ポイントと設定レベル情報に基づいて会員レベルを判別したが、第１の実施の形態や第２の実施の形態のように、各会員の累積ポイントと設定レベル情報に基づいて有効あるいは無効を判別し、会員登録情報の会員識別情報に対応する有効性情報を「有」あるいは「無」に設定したり、会員登録情報に会員識別情報を記憶あるいは削除させてもよい。
【００３２】
また、第５の実施の形態では、情報提供サーバー３０は、会員管理サーバー５０、６０からポイント情報を受信する毎に会員登録情報４１ｃの累積ポイントを更新したが、ポイント情報を会員登録情報４１ｃに順次記憶させてもよい。この場合には、情報提供サーバー３０は、端末装置から会員識別情報を受信したときに、当該会員に対する累積ポイントを演算し、累積ポイントと設定レベル情報４４ｂに基づいて当該会員に対する情報の提供の有効あるいは無効等を判別する。
【００３３】
第５の実施の形態では、会員管理サーバー５０、６０が、設定ポイント情報に基づいて、会員の行動に対してポイントを付与し、付与したポイントを示すポイント情報を情報提供サーバー３０に送信したが、会員の行動を示す行動情報を情報提供サーバー３０に送信してもよい。以下に、会員管理サーバー５０、６０から会員の行動を示す行動情報を情報提供サーバー３０に送信する第６の実施の形態を説明する。
この場合には、情報提供サーバー３０の記憶装置４０に、例えば、図５や図６に示すような、各サービス業者（会員管理サーバー）が、各会員の行動（サービス）に対して付与するポイントを設定した設定ポイント情報を記憶させる。
【００３４】
いま、図１５、図１７に示すように設定されている状態で、パチンコＡ１店の会員番号「００００１」の会員が、パチンコＡ１店に来店して玉貸機で１０００円分のパチンコ玉を購入（貸出し）した場合、会員管理サーバー５０は、会員番号「００００１」と、設定ポイント情報４３に基づいて来店を示す行動情報（例えば、会員行動番号「００１」）、玉購入を示す行動情報（例えば、会員行動番号「００２」）と玉購入金額１０００円等の行動評価情報を含む会員情報を情報提供サーバー３０に送信する。
情報提供サーバー３０は、会員管理サーバー５０から会員情報を受信すると、設定ポイント情報４３と受信した会員情報に含まれている行動情報や玉貸金額等に基づいてポイントを付与する（この場合、ポイント「２」を付与する）。そして、会員登録情報４１ｃの、受信した会員情報に含まれている会員番号「００００１」に対応する累積ポイントを更新する（この場合、現在の累積ポイント「２８」と付与したポイント「２」を加算し、累積ポイントを「３０」に更新する。）。
そして、情報提供サーバー３０は、会員番号「００００１」に対応する累積ポイントと設定レベル情報４４ｂに基づいて、会員番号「００００１」に対応する会員レベルを判別する。この場合、会員レベルが「３」であると判別し、会員管理情報４１ｃの会員番号「００００１」に対応する会員レベルを「２」から「３」に変更する。
【００３５】
以上は、各会員の行動に対して付与したポイントを加算して累積ポイントを演算し、累積ポイントが設定レベル情報に設定されている到達累積ポイントに達すると当該会員に対する情報の提供を有効とする動作について説明した。ここで、情報の提供を有効とした後、所定条件が満足されると情報の提供を無効とするのが好ましい。以下に、その方法を説明する。
情報の提供を無効とする所定条件としては、種々の条件が可能である。
１つの方法は、情報の提供を有効とした後、所定期間経過すると情報の提供を無効とする方法である。
他の方法は、情報の提供を有効とした後、累積ポイントが所定の累積ポイントに達すると情報の提供を無効とする方法である。例えば、情報の提供を有効とした後、所定期間（例えば、１ヶ月）毎に累積ポイントを所定値（例えば、５ポイント）減算する。あるいは、提供する情報に応じて減算ポイントを設定しておき、会員が情報を受け取る毎に、当該情報に応じた減算ポイントを累積ポイントから減算する。あるいは、会員の行動に基づいて累積ポイントを減算する。なお、累積ポイントの減算方法はこれ以外にも種々の方法が可能である。
【００３６】
ここで、会員が情報を受け取る毎に、当該情報に応じた減算ポイントを累積ポイントから減算する実施例を、第１の実施の形態から第６の実施の形態について説明する。ここで、会員番号は「００００１」の会員とし、受け取る情報は、ゲーム情報で減算ポイントは１０とする。
まず、第１の実施の形態では、会員番号「００００１」の会員は、情報提供サーバー３０からゲーム情報を受け取る。すると、情報提供サーバー３０は、会員番号「００００１」を管理する会員管理サーバー５０に、会員番号「００００１」と減算ポイント「１０」を含む減算情報を送信する。会員管理サーバー５０は、減算情報を受信すると、当該会員「００００１」の累積ポイント「２８」から減算ポイント「１０」を減算し（減算結果、累積ポイントは「１８」になる）、判断した結果を含む会員情報を情報提供サーバー３０に送信する。すると、情報提供サーバー３０は、受信した会員情報に基づいて会員登録情報を更新する。
第２の実施の形態及び第３の実施の形態の場合も、上記第１の実施の形態の例と同様である。
次に、第４の実施の形態では、会員番号「００００１」の会員は、情報提供サーバー３０からゲーム情報を受け取る。すると、情報提供サーバー３０は、会員番号「００００１」の累積ポイント「２８」から減算ポイント「１０」を減算し（減算結果、累積ポイントは「１８」になる）、判断した結果を含む減算情報を会員管理サーバー５０に送信する。すると、会員管理サーバー５０は、受信した減算情報に基づいて会員管理情報を更新する。
第５の実施の形態及び第６の実施の形態の場合も、上記第４の実施の形態の例と同様である。ただし、この場合には、累積ポイントを会員管理サーバー５０に送信しなくてもよい。
【００３７】
また、以上の説明では、会員が情報を受け取る場合、情報提供サーバー３０は、情報を要求した端末に情報を送信したが、会員が情報を受け取る端末を指定することも可能である。指定する端末は、会員登録情報のメールアドレスに相当する端末にすることができる。
例えば、会員登録情報４１ｃの会員番号「００００１」の会員のメールアドレスが、当該会員の自宅のパソコンのメールアドレスとする。ここで、会員番号「００００１」の会員が、図１０に示すように、携帯端末から情報の提供を要求した場合、会員用メニュー画面８０ｂに、送信先の選択項目を追加（例えば、要求端末／指定端末のどちらかを選択する欄を追加）する。ここで、要求端末を選択した場合は、情報提供サーバー３０は情報を要求した携帯端末に情報を送信し、指定端末を選択した場合は、情報提供サーバー３０は会員登録情報４１ｃのメールアドレス（この例では、会員番号「００００１」の会員の自宅のパソコン）に情報を送信する。なお、選択の方法は、これ以外にも種々の方法が可能である。
【００３８】
また、情報を受け取る端末を指定する以外に、指定した時間に、指定した情報を、指定した端末で受け取ることも可能である。
例えば、会員番号「００００１」の会員のメールアドレスが、当該会員の携帯端末のアドレスとする。ここで、会員番号「００００１」の会員が、図１０に示すように、携帯端末から情報の提供を要求した場合、会員用メニュー画面８０ｂに、送信時間の選択項目を追加（例えば、毎日／土曜日毎／日曜日毎の選択欄、及び時間の指定欄等を追加）する。ここで、会員番号「００００１」の会員が、「１．パチンコＡ１店台データ」の情報を選択し、さらに送信時間の選択を「日曜日毎」「８：００」と選択した場合、当該会員は、毎週日曜日の８：００に携帯端末でパチンコＡ１店台データを受け取ることができる。なお、選択の方法は、これ以外にも種々の方法が可能である。
【００３９】
本発明の情報提供装置は、実施の形態で説明した構成に限定されず、本発明の要旨を変更しない範囲で種々の変更、追加、削除が可能である。
例えば、本発明の情報提供装置の構成は、図１、図２に示す構成に限定されない。
また、会員登録情報、会員管理情報、設定ポイント情報、設定レベル情報、提供ファイル情報等の項目等は、種々変更可能である。
また、照合処理に用いる信号としては、会員番号とパスワードに限定されず種々の信号を用いることができる。
また、端末装置の表示手段に表示する表示画面は、本実施の形態に示す表示画面に限定されず種々変更可能である。
また、端末装置は、携帯電話、携帯情報端末、モバイル端末等種々の端末装置を用いることができる。
また、本実施の形態では会員管理サーバー５０、６０から情報提供サーバー３０に会員情報を送信し、情報提供サーバー３０が記憶装置４０の会員登録情報を更新したが、会員管理サーバー５０、６０が直接に記憶装置４０の会員登録情報を更新してもよい。
【００４０】
【発明の効果】
以上説明したように、請求項１〜５に記載の情報提供システムを用いれば、顧客は、情報提供システムの会員として登録する作業を行うことなく情報を得ることができる。
【図面の簡単な説明】
【図１】  情報提供装置の一実施の形態の概略図である。
【図２】  情報提供装置の一実施の形態の概略構成図である。
【図３】  会員登録情報の例を示す図である。
【図４】  会員管理情報の例を示す図である。
【図５】  設定ポイント情報の例を示す図である。
【図６】  設定ポイント情報の例を示す図である。
【図７】  設定レベル情報の例を示す図である。
【図８】  設定レベル情報の例を示す図である。
【図９】  提供ファイル情報の例を示す図である。
【図１０】  携帯端末の表示画面の例を示す図である。
【図１１】  会員登録情報の例を示す図である。
【図１２】  会員管理情報の例を示す図である。
【図１３】  設定レベル情報の例を示す図である。
【図１４】  提供ファイル情報の例を示す図である。
【図１５】  会員登録情報の例を示す図である。
【図１６】  会員管理情報の例を示す図である。
【図１７】  会員管理情報の例を示す図である。
【符号の説明】
１０、２０  提供者サーバー
３０  情報提供サーバー
４０  記憶装置
５０、６０  会員管理サーバー
１００、１０１、１０２    会員
【図１】
0004617452.tif 000002
【図２】
0004617452.tif 000003
【図３】
0004617452.tif 000004
【図４】
0004617452.tif 000005
【図５】
0004617452.tif 000006
【図６】
0004617452.tif 000007
【図７】
0004617452.tif 000008
【図８】
0004617452.tif 000009
【図９】
0004617452.tif 000010
【図１０】
0004617452.tif 000011
【図１１】
0004617452.tif 000012
【図１２】
0004617452.tif 000013
【図１３】
0004617452.tif 000014
【図１４】
0004617452.tif 000015
【図１５】
0004617452.tif 000016
【図１６】
0004617452.tif 000017
【図１７】
0004617452.tif 000018